(57)【要約】【課題】ユーザーにわかりやすい回覧情報の提供をすることのできるリモコン装置を提供する。【解決手段】複数機器の運転状態や設定条件を表示する表示部４と、複数機器の内どの機器の運転状態や設定条件を表示するかを選択する選択スイッチ３０や、各種の運転指示を行う各スイッチを備えた操作部５とを設けたリモコン装置で、少なくとも各種運転指示の一つにネットワークによる回覧板機能を備え、サーバ２５にて提供された回覧情報の着信時、この回覧情報の重要度に応じて前記表示部４の表示方法を異ならせるようにした。【選択図】図４
2007043266.tif 000002
【特許請求の範囲】
【請求項１】
複数機器の運転状態や設定条件を表示する表示部と、複数機器の内どの機器の運転状態や設定条件を表示するかを選択する選択スイッチや、各種の運転指示を行う各スイッチを備えた操作部とを設けたリモコン装置で、少なくとも各種運転指示の一つにネットワークによる回覧板機能を備え、サーバーにて提供された回覧情報の着信時、この回覧情報の重要度に応じて前記表示部の表示方法を異ならせる事を特徴とするリモコン装置。
【請求項２】
重要度の高い回覧情報の場合には、前記表示部全体に回覧情報を表示し、重要度の低い回覧情報の場合には、表示部の一部に回覧情報を表示する事を特徴とする請求項１記載のリモコン装置。
【請求項３】
重要度の高い回覧情報の場合と重要度の低い回覧情報の場合とでは、前記表示部に表示する文字の色を変化させて表示する事を特徴とする請求項１記載のリモコン装置。
【請求項４】
重要度の高い回覧情報の場合と重要度の低い回覧情報の場合とでは、前記表示部に表示する文字の大きさを変化させて表示する事を特徴とする請求項１記載のリモコン装置。
【請求項５】
複数機器の運転状態や設定条件を表示する表示部と、複数機器の内どの機器の運転状態や設定条件を表示するかを選択する選択スイッチや、各種の運転指示を行う各スイッチを備えた操作部と音声による報知機能を設けたリモコン装置で、少なくとも各種運転指示の一つにネットワークによる回覧板機能を備え、サーバーにて提供された回覧情報の着信時、この回覧情報の重要度に応じて前記報知機能による音声や発音を異ならせる事を特徴とするリモコン装置。
【請求項６】
複数機器の運転状態や設定条件を表示する表示部と、複数機器の内どの機器の運転状態や設定条件を表示するかを選択する選択スイッチや、各種の運転指示を行う各スイッチを備えた操作部と音声による報知機能を設けたリモコン装置で、少なくとも各種運転指示の一つに給湯機の運転状態や設定条件を表示する機能と、ネットワークによる回覧板機能を備え、サーバーにて提供された回覧情報の着信後、給湯使用時の前記給湯機作動時に報知機能による音声や発音を行う事を特徴とするリモコン装置。
【発明の詳細な説明】
【技術分野】
【０００１】
この発明は、情報を表示する情報端末で、特に給湯機の制御のためのリモコン装置に関するものである。
【背景技術】
【０００２】
従来よりこの種のリモコン装置では、給湯機の操作や表示の他に他の機器である浴室暖房機の制御も行うことで、使用者がわざわざ浴室まで行って操作する手間を省き、操作性の向上を図るものであり、給湯機使用状態では他の機器の表示状態でも、決められた位置にその旨を表示するものであった。（例えば、特許文献１参照）
【特許文献１】特開２００３−１６３９８０号公報
【発明の開示】
【発明が解決しようとする課題】
【０００３】
ところでこの従来のものでは、複数機器で１台のリモコンを共同で使用するために、画面の特定部分でメイン表示の妨げにならない位置に、回覧情報や給湯温度等、給湯機の運転状態が文字により表示されているが、しかし、あくまでサブ的な文字による表示の為、リモコン装置を見ても直感的に状態を判断することが出来ず、リモコン装置の近くまで行かないと表示されている回覧情報や運転内容を確認出来ないと言う不具合を有し、極めて使用勝手が悪いものであった。
【課題を解決するための手段】
【０００４】
この発明はこの点に着目し、上記欠点を解決する為、特にその構成を、複数機器の運転状態や設定条件を表示する表示部と、複数機器の内どの機器の運転状態や設定条件を表示するかを選択する選択スイッチや、各種の運転指示を行う各スイッチを備えた操作部とを設けたリモコン装置で、少なくとも各種運転指示の一つにネットワークによる回覧板機能を備え、サーバーにて提供された回覧情報の着信時、この回覧情報の重要度に応じて前記表示部の表示方法を異ならせるものである。
【０００５】
また、重要度の高い回覧情報の場合には、前記表示部全体に回覧情報を表示し、重要度の低い回覧情報の場合には、表示部の一部に回覧情報を表示するものである。
【０００６】
また、重要度の高い回覧情報の場合と重要度の低い回覧情報の場合とでは、前記表示部に表示する文字の色を変化させて表示するものである。
【０００７】
また、重要度の高い回覧情報の場合と重要度の低い回覧情報の場合とでは、前記表示部に表示する文字の大きさを変化させて表示するものである。
【０００８】
また、複数機器の運転状態や設定条件を表示する表示部と、複数機器の内どの機器の運転状態や設定条件を表示するかを選択する選択スイッチや、各種の運転指示を行う各スイッチを備えた操作部と音声による報知機能を設けたリモコン装置で、少なくとも各種運転指示の一つにネットワークによる回覧板機能を備え、サーバーにて提供された回覧情報の着信時、この回覧情報の重要度に応じて前記報知機能による音声や発音を異ならせるようにしたものである。
【０００９】
また、複数機器の運転状態や設定条件を表示する表示部と、複数機器の内どの機器の運転状態や設定条件を表示するかを選択する選択スイッチや、各種の運転指示を行う各スイッチを備えた操作部と音声による報知機能を設けたリモコン装置で、少なくとも各種運転指示の一つに給湯機の運転状態や設定条件を表示する機能と、ネットワークによる回覧板機能を備え、サーバーにて提供された回覧情報の着信後、給湯使用時の前記給湯機作動時に報知機能による音声や発音を行うようにしたものである。
【発明の効果】
【００１０】
この発明によれば、回覧情報の重要度に応じて表示部での表示方法を異ならせたので、回覧情報の重要度に応じてわかりやすい表示をすることができるようになる。
また、重要な回覧情報の場合には、前記表示部全体に回覧情報を表示するので、一目でその内容が確認でき、離れた場所からでも知ることができ、常に安心して使用できるものであり、重要度の低い回覧情報については、複数機器の運転状態や設定条件と共に表示することで、リモコン装置の使い勝手を向上させるものである。
また、回覧情報の重要度に応じて表示する文字の色を異ならせることですぐに回覧情報の重要度が判断できるものである。
また、回覧情報の重要度に応じて表示する文字の大きさを異ならせることでより回覧情報の重要度が判断できるものである。
【００１１】
また、サーバーにて提供された回覧情報の着信時、この回覧情報の重要度に応じて前記報知機能による音声や発音を異ならせることで、視覚だけでなく聴覚でも回覧情報の重要度が判断できよりリモコン装置の使い勝手を向上させるものである。
また、サーバーにて提供された回覧情報の着信後、給湯使用時の前記給湯機作動時に報知機能による音声や発音を行うことでユーザーが給湯機を使用したタイミングで回覧情報を知ることができ、よりリモコン装置の使い勝手を向上させるものである。
【発明を実施するための最良の形態】
【００１２】
次にこの発明の一実施形態のリモコン装置を図面に基づき説明する。
１はヒートポンプ式の給湯機２及び室の暖房装置３を制御するリコモン装置で、液晶ディスプレーから成るタッチパネル方式の表示部４と、該表示部４の表示内容を変更する操作部５と、各種運転状態を表示する表示ランプ群６と音声等を発する報知機能としてのスピーカ７から構成されている。
【００１３】
前記表示部４には、操作部５の給湯スイッチ８の押圧で、残湯量表示９、給湯温度表示１０や給湯温度を設定するアップ、ダウンスイッチ１１、１２、ふろ自動スイッチ１３等の給湯画面１４が表示され、アップ、ダウンスイッチ１１、１２の操作で給湯温度の変更を行うと共に、ふろ自動スイッチ１３の押圧で給湯機にふろ自動運転を行わせるものである。
【００１４】
又操作部５の暖房スイッチ１５の押圧では、表示部４が暖房画面１６に切り替わり、暖房可能な三室の状態を表示するもので、暖房室表示１７の初期表示は「暖房Ａ」、「暖房Ｂ」、「暖房Ｃ」の文字表示され、この表示の下方に現在状況表示１８を「ＯＮ」、「ＯＦＦ」でそれぞれ表示すると共に、最下方にはそれぞれの入切スイッチ１９が表示され、更に右端にはこの全室の暖房を同時に切状態とする全切スイッチ２０が表示されており、画面背景２１は白色としている。
【００１５】
更に操作部５の生活情報スイッチ２２の押圧では、表示部４が情報画面２３に切り替わり、ネットワーク２４を介して決められたサーバ２５から各種の情報を取り出し可能な画面となり、地域情報の回覧板を取り出して回覧情報を確認するお知らせスイッチ２６、最新のニユースを取り出すニユーススイッチ２７、今日或いは一週間の天気を取り出す天気スイッチ２８、色々な料理のレシピを取り出すレシピスイッチ２９が表示されており、前記の給湯スイッチ８と暖房スイッチ１５、生活情報スイッチ２２で選択スイッチ３０を構成している。
【００１６】
３１は押圧することで浴室リモコン（図示せず）との間でインターホン通話とした通話スイッチ、３２は伝言の記憶及び再生及び消去用の伝言スイッチ、３３は省電力のために表示部４を消灯状態とする表示消灯スイッチ、３４は給湯機側で沸増し運転中を表示する沸増しランプ、３５は使用者へのお知らせ事項があることを表示するお知らせランプ、表示部４が暖房画面１６でなくとも暖房状態の確認ができるように、暖房室Ａランプ３６、暖房室Ｂランプ３７、暖房室Ｃランプ３８がそれぞれ備えられている。
【００１７】
次にこの一実施形態を示すリモコン装置１の表示方法について図４によって、給湯画面１４の表示中にサーバ２５からの回覧情報を受信した場合について説明する。
回覧情報の重要度によって表示の大きさを変えるやり方は、重要度の高い回覧情報の場合、回覧情報着信後自動で表示部４全体に回覧情報を表示するもので、この場合給湯や暖房等で運転条件設定や確認が必要な場合は、ユーザーが選択スイッチ３０にて画面を切り替えて必要な操作を行うものである。
【００１８】
また、重要度の低い回覧情報の場合、回覧情報着信後自動で表示部４の上隅にテロップ状の文字幕として表示されるものである、この情報確認後文字幕を消去するには、専用のスイッチ（図示せず）も設けても良く、また生活情報画面２３を開いたのちお知らせスイッチ２６を開いて回覧画面を開くことで文字幕を消去する様にしても良い。
【００１９】
次に回覧情報の重要度によって文字の色を変えるやり方は、回覧情報着信後自動で表示部４全体、または表示部４の上隅にテロップ状の文字幕として文字を表示するが、この文字の色相によって回覧情報の重要度を判別するもので、例えば重要度の高い場合は、赤い文字で表示を行い、重要度の中間の場合は黄色で、重要度の低い場合は黒い文字で表示を行うことで、ユーザーは文字の色を見ただけで重要な情報かどうかを判別できるものである。
【００２０】
次に回覧情報の重要度によって文字の大きさを変えるやり方は、回覧情報着信後自動で表示部４全体、または表示部４の上隅にテロップ状の文字幕として文字を表示するが、この文字の大きさによって回覧情報の重要度を判別するもので、例えば重要度の高い場合は、リモコンから遠い位置からも確認できるような大きな文字で表示を行い、重要度の低い場合は普通の文字の大きさで表示を行うことで、ユーザーは文字の大きさを見ただけで重要な情報かどうかを判別できるものである。
【００２１】
次に図５のフローチャートによって一実施例の作動について説明すれば、ＳＴ１にて回覧情報の着信を確認し、回覧情報「有り」の場合ＳＴ２に進み、お知らせランプ３５を点灯し、回覧情報「無し」の場合にはＳＴ３にてお知らせランプ３５を消灯しＳＴ１に戻る。
ＳＴ２にてお知らせランプ３５点灯後はＳＴ４に進み、ＳＴ４にて回覧情報の重要度を判定し、重要度の高い場合はＳＴ５にてユーザーがお湯を使用したかを判定し、お湯を使用した場合「出湯あり」でＳＴ６にて「お知らせが届いています。」と音声にて報知し、ＳＴ７で表示部４全体に回覧の内容を表示する。
【００２２】
ＳＴ４にて回覧情報の重要度が低い場合には、ＳＴ８にて回覧情報を表示部４上部に内容をテロップの形で流すもので、お知らせランプ３５等にて気づいた時に回覧を確認する程度で充分な情報である。
また、ＳＴ５にて出湯動作がない場合にも、ＳＴ８にて回覧情報を表示部４上部に内容をテロップの形で流すもので、この状態でユーザーの給湯の使用まで待機するものである。
【００２３】
以上説明のように回覧情報の重要度に応じて表示部での表示方法を異ならせたので、回覧情報の重要度に応じてわかりやすい表示をすることができるようになる。
また、重要な回覧情報の場合には、前記表示部全体に回覧情報を表示するので、一目でその内容が確認でき、離れた場所からでも知ることができ、常に安心して使用できるものであり、重要度の低い回覧情報については、複数機器の運転状態や設定条件と共に表示することで、リモコン装置の使い勝手を向上させるものである。
また、回覧情報の重要度に応じて表示する文字の色を異ならせることですぐに回覧情報の重要度が判断できるものである。
また、回覧情報の重要度に応じて表示する文字の大きさを異ならせることでより回覧情報の重要度が判断できるものである。
【００２４】
また、サーバー２５にて提供された回覧情報の着信時、この回覧情報の重要度に応じて前記報知機能による音声や発音を異ならせることで、視覚だけでなく聴覚でも回覧情報の重要度が判断できよりリモコン装置の使い勝手を向上させるものである。
また、サーバー２５にて提供された回覧情報の着信後、給湯使用時の前記給湯機作動時に報知機能による音声や発音を行うことでユーザーが給湯機を使用したタイミングで回覧情報を知ることができ、よりリモコン装置の使い勝手を向上させるものである。
【図面の簡単な説明】
【００２５】
【図１】この発明一実施形態のリモコン装置を示すシステム図。
【図２】同リモコン装置の概略説明図。
【図３】同給湯及び暖房画面、情報画面の画面説明図。
【図４】同給湯画面での画面表示の説明図。
【図５】同フローチャート図。
【符号の説明】
【００２６】
１  リモコン装置
４  表示部
５  操作部
２６  お知らせスイッチ
３０  選択スイッチ
【図１】
2007043266.tif 000003
【図２】
2007043266.tif 000004
【図３】
2007043266.tif 000005
【図４】
2007043266.tif 000006
【図５】
2007043266.tif 000007